(57)【要約】【課題】  建物の中庭及び前庭を使用目的に応じて好適に仕切ることが可能な仕切装置を提供することを課題とする。【解決手段】  仕切装置が、建物１０００の前庭５００と前庭５００に通じる開口面８００を有する中庭７００との仕切りであって、２つの面材１０、２０を備え、面材１０、２０が、開口面８００に沿った位置、前庭５００内で１つの建物の壁２００、３００の延長線上である位置及び前庭５００内で開口面８００の延長線上である位置のいずれか又はいずれにも移動又は回動可能であることを特徴とする。【選択図】      図１
2006226078.tif 000002
【特許請求の範囲】
【請求項１】
建物の前庭と該前庭に通じる開口面を有する中庭との仕切りであって、
２つの面材を備え、
前記面材が、前記開口面に沿った位置、
前記前庭内で前記中庭の対向する前記建物の壁の前記前庭方向延長面に沿った位置、及び
前記建物の前記前庭に面した前記建物の壁に沿った位置、
のいずれか又はいずれにも移動又は回動可能であることを特徴とする、
仕切装置。
【請求項２】
前記面材が、前記中庭の対向する前記建物の壁に隣接して立設される一対の柱のそれぞれに回動自由に取り付けられることを特徴とする請求項１に記載の仕切装置。
【請求項３】
前記前庭に、前記開口面から前記面材の幅と同じ距離離隔し、前記開口面と同じ幅の間隔で立設される一対の縦材を備えることを特徴とする請求項１又は請求項２のいずれか１項に記載の仕切装置。
【請求項４】
前記一対の縦材の間に他の面材を備えることを特徴とする、請求項３に記載の仕切装置。
【請求項５】
前記中庭上部と前記一対の縦材上部とに渡される一対の横材と該横材の間に配置される天板を備えることを特徴とする、請求項３又は請求項４のいずれか１項に記載の仕切装置。
【発明の詳細な説明】
【技術分野】
【０００１】
本発明は、住宅等の建物の屋外空間、特に使用目的に応じて中庭と前庭とを仕切ることができる仕切装置に関する。
【背景技術】
【０００２】
住宅等の建物の中庭は、前庭等の完全な屋外とは異なり屋外であるにもかかわらず室内の雰囲気を有し、快適な生活を提供する場所である。近年、限られた土地にできるだけ大きく建物を建てるため前庭の大きさを抑える代わりに、又は２世帯住宅における共有スペースとして建物の中央に中庭を設置する建物が多くなってきている。このような時代の流れから、中庭に対する快適性向上の要望は強まる一方である。
【０００３】
中庭に対する大きな要望の１つとして、使用目的応じた空間の分割、開放が挙げられる。中庭は屋外であるとはいえ、屋内的な要素も多く含んでいるので、中庭使用者はその生活の場面に応じて様々な使用目的で中庭を活用したいと考える。そのため、ある場面においては室内のように、また他の場面では前庭の延長として、使い分けができれば使用者は非常に快適な時間を過ごすことができる。従来においては、上述のような需要者の要望に満足に応え得る屋外の仕切装置は存在しなかった。
【発明の開示】
【発明が解決しようとする課題】
【０００４】
しかし、以上のように、今後中庭に対する快適性の要求は増加すると考えられ、かかる要求に応えるための新たな装置が早急に必要とされる。
【０００５】
そこで、本発明は、従来の中庭を使用者にとってさらに快適で利便性の高い空間とするために、中庭と前庭を使用目的に応じて仕切ることが可能な仕切装置を提供することを課題とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１の発明は、建物（１０００）の前庭（５００）と前庭（５００）に通じる開口面（８００）を有する中庭（７００）との仕切りであって、２つの面材（１０、２０）を備え、面材（１０、２０）が、開口面（８００）に沿った位置、前庭（５００）内で中庭（７００）の対向する建物の壁（２００、３００）の前庭（５００）方向延長面に沿った位置、及び建物（１０００）の前庭（５００）に面した建物の壁（１００、１００）に沿った位置、のいずれか又はいずれにも移動又は回動可能であることを特徴とする、仕切装置（６００）を提供することにより、上記課題を解決するものである。
【０００８】
請求項２の発明は、請求項１に記載の仕切装置（６００）は、面材（１０、２０）が、中庭（７００）の対向する建物の壁（２００、３００）に隣接して立設される一対の柱（１１、２１）のそれぞれに回動自由に取り付けられることを特徴とする。
【０００９】
請求項３の発明は、請求項１又は請求項２のいずれか１項に記載の仕切装置（６００）が、前庭（５００）に、開口面（８００）から面材（１０、２０）の幅と同じ距離離隔し、開口面（８００）と同じ幅の間隔で立設される一対の縦材（１２、２２）を備えることを特徴とする。
【００１０】
請求項４の発明は、請求項３に記載の仕切装置（６００）が、一対の縦材（１２、２２）の間に他の面材（５０）を備えることを特徴とする。
【００１１】
請求項５の発明は、請求項３又は請求項４のいずれか１項に記載の仕切装置（６００）は、中庭（７００）上部と一対の縦材（１２、２２）上部とに渡される一対の横材（２３、３３）と横材（２３、３３）の間に配置される天板（３０）を備えることを特徴とする。
【発明の効果】
【００１２】
請求項１の発明によれば、中庭と前庭を使用目的に応じて仕切ることができる。具体的には、前庭と中庭が設けられた建物で、該中庭が、一方向に前庭に連通する開口面を有し、他の方向は建物の壁に仕切られている場合、２つの面材を開口面に沿って配置することによって中庭と前庭を仕切り、中庭と前庭とが独立した空間を形成することができる。また、該２つの面材を前庭内で中庭の対向する建物の壁の前庭方向延長面に沿って配置すれば、中庭正面の前庭が２つの面材によって仕切られ、中庭を拡張したような空間を得る。さらに、前記２つの面材を建物の前庭に面した建物の壁に沿った位置に配置すれば、中庭と前庭は連通した空間となる。
【００１３】
また、２枚の面材の一方は中庭の対向する建物の壁に沿った位置に、他方は前庭内で中庭の対向する建物の壁の前庭方向延長面に沿った位置に配置することにより、前庭を分割し、該分割された前庭のいずれか一方を中庭と連通させることができる。これにより例えば、中庭をプライベート重視の前庭に連通させるか、来客等を招き入れることを考慮した前庭に連通させるかの選択が可能である。
【００１４】
以上のように、請求項１に記載の発明によれば、前庭及び中庭を使用目的に応じて仕切り、中庭の利便性、機能性、快適性を大きく向上できる。ここで面材の可動方式は、特に限定されるものではなく例えばスイング扉に代表されるような回動方式、スライド扉に代表されるような移動方式が挙げられる。
【００１５】
請求項２の発明によれば、中庭の対向する建物の壁に隣接して立設された２本の柱それぞれに２つの面材が回動自由に取り付けられていることにより、請求項１に記載した各位置への面材の回動を容易に行うことができる。具体的には柱を中心として、中庭内、中庭の開口面、前庭内へ面材を回動させ、各位置へ配置する。かかる操作は使用者にも容易に行うことができる。
【００１６】
請求項３の発明によれば、中庭の開口面と同じ幅の間隔を有する一対の縦材を開口面から面材の幅と略同一の距離だけ離隔して設置することにより、面材を前庭内で該縦材に留めておくことができる。これは風が強い地域にて本発明の仕切装置を設置する場合に特に有効である。
【００１７】
請求項４の発明によれば、前記縦材の間に他の面材を配置することにより、外部から開口面を隠蔽することができる。
【００１８】
請求項５の発明によれば、縦材の上部と中庭上部とに一対の横材を渡し、該横材の間に天板を配置し、屋根を形成することができる。該屋根により使用者は雨や夏場の直射日光を避けることができる。
【００１９】
本発明のこのような作用及び利得は、次に説明する発明を実施するための最良の形態から明らかにされる。
【発明を実施するための最良の形態】
【００２０】
以下本発明を図面に示す実施形態に基づき説明する。
【００２１】
図１は、本発明の仕切装置６００が、建物１０００の中庭７００に使用される１つの実施形態を示した斜視図である。図１では理解容易のため、適宜、部材を透視し、面材５０は位置をずらして示す。本発明の仕切装置６００は、中庭７００及び前庭５００を有する建物１０００に設置される。中庭７００は、一方に開口面８００を有し、他の３方向は建物の壁２００、３００、４００により仕切られている。開口面８００の左右は建物１０００の外壁１００、１００である。本実施形態では、開口面８００の両端に柱１１、２１を立設し、該柱に面材１０、１１を回動自由に取り付ける。面材１０、２０の回動の位置やその作用については後で説明する。ここで柱１１、２１は、建物の柱と共用であってもよい。
【００２２】
前庭５００には、縦材１２、２２が立設される。開口面８００から縦材１２、２２までの距離は、面材１０、２０の幅と略同一である。さらに２つの縦材１２、２２の間隔は開口面８００の幅に略同じである。これにより柱１１と縦材１２の間に面材１０を、柱２１と縦材２２の間に面材２０を配置することができる。柱１１には面材１０を留めておく連結機構（不図示）及び柱２２には面材２０を留めておく連結機構（不図示）が備えられている。縦材１２の上部と中庭の壁４００に略水平に横材１３が渡されている。また、縦材２２の上部と中庭の壁４００に略水平に横材２３が渡されている。これら２つの横材１３、２３の間に天板３０が設置される。これにより雨等を防ぐことができる。天板３０は横材１３及び２３に沿う方向に移動させることが可能であり、必要に応じて前庭５００の上部に移動させることができる。さらに、縦材１２、２２の間には面材５０が設置され、空間を仕切っている。これにより、中庭７００を外部から隠蔽することができ、プライバシーが保護される。
【００２３】
本実施形態では、面材１０、２０及び天板３０は同一のデザインで、面材５０はこれとは異なるデザインとしているが、面材１０、２０、５０及び天板３０のデザインは全て統一されても良い。逆に全て異なるデザインとしても良い。建物１０００と調和した意匠性に優れるデザインを採用することができる。また、面材１０、２０及び天板３０の材質は、特に限定されるものではないが、光を通す性質や対候性に優れた性質を有する材質が好ましい。好適な材料としては、例えばポリカーボネート、ポリスチレン、ＰＥＴ、ポリアクリレート等を挙げることができる。また、光を通さないものであっても、意匠性の優れた、ガラス、樹脂及びアルミ材等を単体で又は組み合わせて使用した各種化粧面材も利用可能である。
【００２４】
次に、本発明の仕切装置６００が使用される建物１０００の１つの実施形態における、面材１０、２０の配置及びそのとき形成される空間の特徴について、場合分けして説明する。理解の容易のため、天板３０は図示せず、中庭７００の中が見えるようにした。
【００２５】
図２は、建物１０００の１階部分平面図である。建物１０００は、破線で囲まれた敷地内に建てられ、建物１０００と敷地の間に前庭５００を有している。玄関の前面から北側の前庭への出入りは制限されているが、南側の前庭へは出入可能である。中庭７００は建物１０００の南側中央付近に設けられ、仕切装置６００は中庭７００及び前庭５００に設置されている。図２に示した１階部分の室内側は、ごく一般的な住宅における配置を示し、本発明の内容とは直接的には関係せず、他の配置にしてもよい。また中庭も、建物の南側中央である必要はなく、他の位置であってもよい。
【００２６】
図３及び図４は、図２の建物１０００における仕切装置６００の面材１０、２０の配置を模式的に示した上面図である。図中、矢印で面材１０、２０の回動可能な方向を示した。以下にそれぞれの場合について説明する。図３（Ａ）は、中庭７００内に面材１０が建物の壁２００に沿って、面材２０が建物の壁３００に沿って配置された場合を示した図である。これにより中庭７００と前庭５００とは仕切られず、連通した空間を形成する。このとき使用者は中庭７００を解放的な空間として利用することができる。図３（Ｂ）は、図３（Ａ）の状態から面材１０、２０を回動し、両方の面材１０、２０を開口面８００に沿った位置に配置した場合を示している。これにより中庭７００は前庭５００と仕切られ、建物の壁２００、３００、４００及び面材１０、２０で囲まれた独立した空間となり、例えばプライベートな目的で使用される。図３（Ｃ）は、さらに面材１０、２０を回動させ、前庭５００内で中庭７００の対向する建物の壁２００、３００の前庭５００方向延長面に沿った位置に配置した場合である。かかる配置により、前庭５００内に面材１０、２０、５０で仕切られた空間７０１が形成される。空間７０１は、中庭７００と連通し、中庭７００を拡張したような空間を提供する。図３（Ｄ）は、図３（Ｃ）の位置から回動させ、建物１０００の前庭５００に面した建物の壁１００、１００に沿った位置に配置した場合を示す。かかる位置では、中庭７００と前庭５００とは仕切られずに、中庭７００と前庭５００とは連通した空間を形成する。
【００２７】
図４（Ａ）は、面材１０を中庭７００内の建物の壁２００に沿った位置又は建物１０００の前庭５００に面した建物の壁１００に沿った位置（破線で表示）、面材２０を前庭５００内で建物の壁３００の前庭５００方向延長面に沿った位置にそれぞれ配置したものある。これによると、面材２０より玄関側からの中庭７００への出入は制限され、面材２０より中庭７００側は、中庭７００と前庭５００とが連通した独立した空間を形成している。かかる配置により、例えば面材２０をはさんで玄関側を応接空間、中庭７００側をプライベート空間のように分けることができる。図４（Ｂ）は、逆に面材１０を前庭５００内で建物の壁２００の前庭５００方向延長面に沿った位置に、面材２０を中庭７００内の建物の壁３００に沿った位置又は建物１０００の前庭５００に面した建物の壁１００に沿った位置（破線で表示）それぞれ配置したときの上面図である。これによると面材１０より玄関側の前庭５００及び中庭７００へは玄関からの出入が制限されないが、面材１０の玄関側でない方（紙面左側）の前庭５００へは出入が制限される。かかる配置により、例えば中庭７００を応接空間、面材１０の紙面左側の前庭５００はプライベート空間として利用できる。
【００２８】
以上のように、本発明の仕切装置の面材１０、２０は、上述したいずれの位置へも回動可能なことにより、中庭７００と前庭５００を使用目的に応じて仕切ることができる。ここで、図３（Ａ）の状態と図３（Ｄ）の状態は同じ効果を有するので、必ずしも両方の状態になることを可能とする必要はなく、いずれか一方の状態が可能であればよい。
【００２９】
図５は、本発明の仕切装置の他の実施形態における面材の配置を模式的に示した上面図である。本実施形態は、２枚の面材１５、２５の可動方式が直線移動であるいわゆるスライド式の場合である。面材１５、２５は図中に示した矢印の方向に移動可能である。図５（Ａ）のように開口面８００に沿って面材１５、２５が配置された場合は、中庭７００は前庭５００と仕切られ、建物の壁２００、３００、４００及び面材１５、２５で囲まれた独立した空間となる。これにより中庭７００は例えばプライベートな空間を提供する。図５（Ａ）の位置から図５（Ｂ）のように面材１５、２５を移動すると、中庭７００と前庭５００とは仕切られずに、中庭７００を前庭５００に連通させることができる。
【００３０】
図６は、図５とは異なる実施形態におけるスライド式の面材１６、１７を利用した本発明の仕切装置を模式的に示した上面図である。本実施形態では、面材１６、２６が、中庭の建物の壁２００、３００の沿った位置と、前庭５００内で建物の壁２００、３００の前庭５００方向延長面に沿った位置とに移動可能である。図６（Ａ）のように面材１６、２６が配置された場合は、中庭７００と前庭５００とは仕切られずに、中庭７００を前庭５００に連通できる。面材１６、２６を図６（Ｂ）の位置に移動させると、前庭５００内に面材１６、２６、５０で仕切られた空間７０２が形成される。空間７０２は、中庭７００と連通し、中庭７００を拡張したような空間を提供する。図６（Ｃ）は、面材１６を中庭７００内の建物の壁２００に沿った位置に、面材２６を前庭５００内で建物の壁３００の前庭５００方向延長面に沿った位置にそれぞれ配置したものある。これによると、面材２６より玄関側からの中庭７００への出入は制限され、面材２６より中庭７００側は、中庭７００と前庭５００とが連通した独立した空間を形成している。かかる配置により、例えば面材２６をはさんで玄関側を応接空間、中庭７００側をプライベート空間のように分けることができる。図６（Ｄ）は、逆に面材１６を前庭５００内で建物の壁２００の前庭５００方向延長面に沿った位置に、面材２６を中庭７００内の建物の壁３００に沿った位置にそれぞれ配置したときの上面図である。これによると面材１６より玄関側の前庭５００及び中庭７００へは玄関からの出入が制限されないが、面材１６の玄関側でない方（紙面左側）の前庭５００へは出入が制限される。かかる配置により、例えば中庭７００を応接空間、面材１６の紙面左側の前庭５００はプライベート空間として利用できる。
【００３１】
図７は、図５の実施形態における面材１５、２５と図６の実施形態における面材１６、２６の４枚の面材を利用した本発明の仕切装置を模式的に示した上面図である。本実施形態では、４枚の面材１５、１６、２５、２６が図中矢印の方向に移動可能であるので、図５及び図６で示した全ての配置が可能である。
【００３２】
図８は、図３に示した回動可能な２枚の面材１０、２０が、１枚の面材である場合における本発明の実施形態にかかる仕切装置の上面図である。１枚の面材１７、２７の幅は開口面８００の幅と略同じである。回動の範囲を破線矢印で示した。該仕切装置においても前庭５００及び中庭７００の仕切、開放が可能である。図８（Ａ）において、面材１７の回動により、図３（Ａ）、図３（Ｂ）、図３（Ｄ）及び図４（Ｂ）に相当する仕切ができ、図８（Ｂ）における面材２７の回動により、図３（Ａ）、図３（Ｂ）、図３（Ｄ）及び図４（Ａ）に相当する仕切が可能である。
【００３３】
図９は、図７に示した移動可能な４枚の面材１５、１６、２５、２６が、２枚の面材である場合における本発明の実施形態にかかる仕切装置である。各面材１８、１９、２９の幅は開口面８００の幅と略同じである。該仕切装置においても前庭５００及び中庭７００の仕切、開放が可能である。移動可能な方向を矢印で示した。図９（Ａ）において、面材１８、１９の移動により、図５（Ａ）、図５（Ｂ）、図６（Ａ）及び図６（Ｄ）に相当する仕切りができ、図９（Ｂ）における面材１８、２９の移動により、図５（Ａ）、図５（Ｂ）、図６（Ａ）及び図６（Ｃ）に相当する仕切が可能である。
【００３４】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う仕切装置もまた本発明の技術的範囲に包含されるものとして理解されなければならない。
【図面の簡単な説明】
【００３５】
【図１】本発明の仕切装置が、建物の中庭に使用される１つの実施形態を示した斜視図である。
【図２】本発明を備える建物の１階部分平面図である。
【図３】１つの実施形態における仕切装置の面材の配置及びそのときに形成される空間を模式的に示した上面図である。
【図４】１つの実施形態における仕切装置の面材の配置及びそのときに形成される空間を模式的に示した上面図である。
【図５】スライド式扉を利用した実施形態における仕切装置の面材の配置及びそのときに形成される空間を模式的に示した上面図である。
【図６】スライド式扉を利用した他の実施形態における仕切装置の面材の配置及びそのときに形成される空間を模式的に示した上面図である。
【図７】スライド式扉を利用した他の実施形態における仕切装置の面材の配置及びそのときに形成される空間を模式的に示した上面図である。
【図８】図３の実施形態の面材を１枚とした他の実施形態における仕切装置の面材の配置及びそのときに形成される空間を模式的に示した上面図である。
【図９】図７の実施形態の面材を２枚とした他の実施形態における仕切装置の面材の配置及びそのときに形成される空間を模式的に示した上面図である。
【符号の説明】
【００３６】
１０  面材
１１  柱
１２  縦材
１３  横材
２０  面材
２１  柱
２２  縦材
２３  横材
３０  天板
５０  面材
１００  外壁
２００  壁
３００  壁
４００  壁
５００  前庭
６００  仕切装置
７００  中庭
８００  開口面
１０００  建物
【図１】
2006226078.tif 000003
【図２】
2006226078.tif 000004
【図３】
2006226078.tif 000005
【図４】
2006226078.tif 000006
【図５】
2006226078.tif 000007
【図６】
2006226078.tif 000008
【図７】
2006226078.tif 000009
【図８】
2006226078.tif 000010
【図９】
2006226078.tif 000011